(57)【要約】【課題】  フラップ部を差し込み孔から容易に引き抜くことができる段ボール箱を提供する。【解決手段】  箱本体２に差し込み孔１１及び指挿入切欠部１２を設け、蓋部３にフラップ部１４を設け、このフラップ部１４を差し込み孔１１に差し込むことによって箱本体２の内部を塞ぐ段ボール箱１において、箱本体２の半円形状の指挿入切欠部１２に対向するフラップ部１４に半円形状の指掛止孔１５を設けた。【選択図】      図１
2006188242.tif 000002
【特許請求の範囲】
【請求項１】
箱本体と、この箱本体に開閉自在に設けられた蓋部とのいずれか一方に差し込み孔を、他方に前記差し込み孔に差し込むフラップ部を、それぞれ設け、このフラップ部を前記差し込み孔に差し込むことによって前記箱本体の内部を塞ぐ収容箱において、
前記フラップ部に指掛止孔を設けたことを特徴とする収容箱。
【請求項２】
請求項１記載の収容箱であって、
前記差し込み孔が設けられた前記箱本体又は前記蓋部に、前記差し込み孔の入口から奥に向かって切り欠く指挿入切欠部を設け、この指挿入切欠部に対向する位置に前記指掛止孔を設けたことを特徴とする収容箱。
【請求項３】
請求項１記載の収容箱であって、
前記差し込み孔は前記箱本体に、前記フラップ部は前記蓋部に、それぞれ設けたことを特徴とする収容箱。
【請求項４】
請求項１記載の収容箱であって、
前記箱本体及び前記蓋部は、単一の段ボールシートよりそれぞれ構成されたことを特徴とする収容箱。
【発明の詳細な説明】
【技術分野】
【０００１】
本発明は、例えば、蓋部のフラップを箱本体の差し込み孔に挿入することによって箱本体の内部を塞ぐ収容箱に関する。
【背景技術】
【０００２】
この種の従来の収容箱として、図５に示すものがある（例えば、特許文献１参照）。
【０００３】
この収容箱１００は、図５に示すように、箱本体１０１と、この箱本体１０１の開口部を開閉する蓋部１０２とを備えている。箱本体１０１の底面部１０１ａには切り起こしによって第１フラップ部１０３が設けられている。箱本体１０１の内側前面部１０１ｂには第１差し込み孔１０４が設けられている。蓋部１０２の外側前面部１０２ａには第２フラップ部１０５が突設されている。この第２フラップ部１０５には第２差し込み孔１０６が設けられている。
【０００４】
上記構成において、箱本体１０１の内部が開放された状態にあって、蓋部１０２の第２フラップ部１０５を箱本体１０１の第１差し込み孔１０４に差し込む。次に、箱本体１０１の第１フラップ部１０３を蓋部１０２の第２差し込み孔１０６に挿入する。これにより、箱本体１０１の内部を蓋部１０２によって塞ぐことができる。
【０００５】
また、箱本体１０１の内部が閉塞された状態にあって、第１フラップ部１０３を第２差し込み孔１０６より引き抜く。次に、第２フラップ部１０５を第１差し込み孔１０４より引き抜く。これにより、箱本体１０１の内部を開放することができる。
【特許文献１】特開２００１−２６１０２２号公報
【発明の開示】
【発明が解決しようとする課題】
【０００６】
しかしながら、前記従来の収容箱１００では、第１フラップ部１０３を第２差し込み孔１０６より引き抜く際には、作業者は第１フラップ部１０３を指で押圧し、その摩擦力を利用して第１フラップ部１０３を引き抜き方向に移動させる必要がある。従って、第１フラップ部１０３と第２差し込み孔１０６の係止力が何らかの理由により強い場合や、第１フラップ部１０３と指との間の摩擦力が何らかの理由により弱い場合には、第１フラップ部１０３の引き抜き作業性が悪いという問題があった。
【０００７】
そこで、本発明は、前記した課題を解決すべくなされたものであり、フラップ部を差し込み孔から簡単に引き抜くことができる収容箱を提供することを目的とする。
【課題を解決するための手段】
【０００８】
請求項１の発明は、箱本体と、この箱本体に開閉自在に設けられた蓋部とのいずれか一方に差し込み孔を、他方に前記差し込み孔に差し込むフラップ部を、それぞれ設け、前記フラップ部を前記差し込み孔に差し込むことによって前記箱本体の内部を塞ぐ収容箱において、前記フラップ部に指掛止孔を設けたことを特徴とする。
【０００９】
請求項２の発明は、請求項１記載の収容箱であって、前記差し込み孔が設けられた前記箱本体又は前記蓋部に、前記差し込み孔の入口から奥に向かって切り欠く指挿入切欠部を設け、この指挿入切欠部に対向する位置に前記指掛止孔を設けたことを特徴とする。
【００１０】
請求項３の発明は、請求項１記載の収容箱であって、前記差し込み孔は前記箱本体に、前記フラップ部は前記蓋部に、それぞれ設けられたことを特徴とする。
【００１１】
請求項４の発明は、請求項１記載の収容箱であって、前記箱本体及び前記蓋部は、単一の段ボールシートよりそれぞれ構成されたことを特徴とする。
【発明の効果】
【００１２】
請求項１の発明によれば、作業者が指等をフラップ部の指掛止孔に引っ掛けた状態でフラップ部を操作できるため、フラップ部を差し込み孔から容易に引き抜くことができる。
【００１３】
請求項２の発明によれば、フラップ部のほぼ全体を差し込み孔に差し込むような構造である場合に、指等を指挿入切欠部より指掛止孔に引っ掛けることができる。従って、フラップ部を差し込み孔に深く差し込むことによる確実なロック状態の維持とフラップ部の容易なロック解除とを同時に満足させることができる。
【００１４】
請求項３の発明によれば、請求項１の発明の効果と同様な効果が得られる。
【００１５】
請求項４の発明によれば、段ボールシートを製造する裁断・打ち抜き加工の際に指掛止孔を形成できるため、製造工程を増加することなく収容箱を製造でき、また、製造コストが高くなることもない。
【発明を実施するための最良の形態】
【００１６】
以下、本発明の一実施形態を図面に基づいて説明する。
【００１７】
図１〜図４は本発明の収容箱を段ボール箱に適用した一実施形態を示し、図１は段ボール箱の全体斜視図、図２はフラップ部を差し込み孔から引き抜く途中状態を示す斜視図、図３はフラップ部を差し込み孔から引き抜いた状態を示す斜視図、図４は段ボールシートの平面図である。
【００１８】
図１に示すように、段ボール箱（収容箱）１は、箱本体２と、この箱本体２の一端縁に開閉自在に設けられ、箱本体２の上面側の開口部を開閉する蓋部３とを備えている。
【００１９】
図１〜図４に示すように、箱本体２は、底面部４と左右一対の側面部５，５と前面部６と後面部７とを有し、これらに囲まれることによって内部に収容スペースが形成されている。前面部６は、内側前面部８と、幅部９と、外側前面部１０とから二重構造に形成されている。幅部９の中央には矩形の差し込み孔１１が形成されている。外側前面部１０には差し込み孔１１の入口から奥に向かって切り欠く半円形状の指挿入切欠部１２が形成されている。また、底面部４にはその外側前面部１０との境界位置の左右対称位置に、一対の係止孔１３，１３が形成されている。
【００２０】
蓋部３の先端面の中央にはフラップ部１４が突設されている。このフラップ部１４は蓋部３に対してほぼ直角に折り曲げられている。そして、箱本体２の半円形状の指挿入切欠部１２に対向するフラップ部１４には、蓋部３との境界位置に半円形状の指掛止孔１５が形成されている。尚、この半円形状の指掛止孔１５は、半円形状の指挿入切欠部１２よりも一回り小さくなるように形成してある。
【００２１】
図４に示すように、段ボール箱１は、単一の段ボールシート２０より構成される。この段ボールシート２０は、底面部４と、左右一対の側面部５，５と、外側前面部１０と幅部９及び内側前面部８から成る前面部６と、後面部７と、蓋部３と、各側面部５，５に付設された折り込みプレート部１６，１６及び糊代部１７，１７とから構成されている。内側前面部８の先端には左右一対の係止片１８，１８が突設されていると共に、段ボールシート２０の所定位置には差し込み孔１１と、指挿入切欠部１２と、左右一致の係止孔１３，１３及び指掛止孔１５がそれぞれ形成されている。また、各面部３，４，５，６，７，８，９，１０，１４，１６，１７の境界には図４にて破線で示す折れ線ａがそれぞれ形成されている。そして、この各折れ線ａに沿って各面部３，５，６，７，８，９，１０，１４，１６，１７を所定の方向に折り曲げ、かつ、糊代部１６，１６を接着剤によって接着等することによって図１に示す段ボール箱１を製造することができる。
【００２２】
上記構成において、箱本体２の内部が開放された状態にあって、蓋部３のフラップ部１４を箱本体２の差し込み孔１１に差し込むことによって蓋部３を閉じることができる。また、図１及び図３に示すように、箱本体２の内部が閉塞された状態にあって、フラップ部１４を差し込み孔１１より引き抜くことによって蓋３を開くことができる。
【００２３】
上記蓋部３を開く操作過程にあって、図２に示すように、作業者が指等をフラップ部１４の指掛止孔１５に引っ掛けた状態でフラップ部１４を操作できるため、フラップ部１４を差し込み孔１５から容易に引き抜くことができる。
【００２４】
この実施形態では、差し込み孔１５が設けられた箱本体２に、差し込み孔１５の入口から奥に向かって切り欠く半円形状の指挿入切欠部１２を設け、この指挿入切欠部１２に対向するフラップ部１４の所定位置に半円形状の指掛止孔１５を設けたので、フラップ部１４のほぼ全体を差し込み孔１１に差し込むような本構造である場合に、指等を指挿入切欠部１２より指掛止孔１５に引っ掛けることができる。従って、フラップ部１４を差し込み孔１１に深く差し込むことによる確実なロック状態の維持とフラップ部１４の容易なロック解除とを同時に満足させることができる。
【００２５】
また、段ボール箱１は、単一の段ボールシート２０より構成されたので、段ボールシート２０を製造する裁断・打ち抜き加工の際に指掛止孔１５を形成できるため、製造工程を増加することなく段ボール箱１を製造でき、また、製造コストが高くなることもない。
【００２６】
尚、前記実施形態では、箱本体２に差し込み孔１１を、蓋部３にフラップ部１４をそれぞれ設けたが、この逆に箱本体２にフラップ部１４を、蓋部３に差し込み孔１１を設けたものであっても良い。また、収容箱は段ボールシート２０より構成された段ボール箱１であったが、厚紙、プラスチック材等によって構成された収容箱であっても同様に本発明を適用できることは勿論である。
【図面の簡単な説明】
【００２７】
【図１】本発明の一実施形態を示し、段ボール箱の全体斜視図である。
【図２】本発明の一実施形態を示し、フラップ部を差し込み孔より引き抜く途中状態を示す斜視図である。
【図３】本発明の一実施形態を示し、フラップ部を差し込み孔より引き抜いた状態を示す斜視図である。
【図４】本発明の一実施形態を示し、段ボールシートの平面図（段ボール箱の組み立て前の展開図）である。
【図５】従来例のフラップ部と差し込み孔による係止構造を示す斜視図である。
【符号の説明】
【００２８】
１  段ボール箱（収容箱）
２  箱本体
３  蓋部
１１  差し込み孔
１２  指挿入切欠部
１４  フラップ部
１５  指掛止孔
２０  段ボールシート
【図１】
2006188242.tif 000003
【図２】
2006188242.tif 000004
【図３】
2006188242.tif 000005
【図４】
2006188242.tif 000006
【図５】
2006188242.tif 000007